(57)【要約】【課題】  比較的低い内圧のまま少量の水を送水経路に沿って経路周辺に均等に散水できない点である。【解決手段】  親水素材で中空の通水用の筒部分を形成する一方、この筒部分に連続して左右両側に延びる親水素材の袖を形成し、他方、前記袖を被散水面に被せるようにして広げて設置した後、前記筒部分に通水して筒部分から滲み出す水で前記袖を濡らし周囲に拡散させ袖を給水面として利用する。前記被散水面は折板屋根の凸部または尾根である。前記筒部分は折板屋根の凸部頂上または尾根上に位置し、両側の袖がこれら凸部または尾根を挟み跨がるように設置されて筒部分の位置決めが行われる。【選択図】図４
2008215066.tif 000002
【特許請求の範囲】
【請求項１】
親水素材で中空の通水用の筒部分を形成する一方、この筒部分に連続して左右両側に延びる親水素材の袖を形成し、他方、前記袖を被散水面に被せるようにして広げて設置した後、前記筒部分に通水して筒部分から滲み出す水で前記袖を濡らし周囲に拡散させ袖を給水面として利用する被散水面への給水方法にして、
前記被散水面が折板屋根の凸部または尾根であり、前記筒部分は折板屋根の凸部頂上または尾根上に位置し、両側の袖がこれら凸部または尾根を挟み跨がるように設置されて筒部分の位置決めが行われる被散水面への給水方法。
【請求項２】
請求項２に記載された被散水面への給水方法において、前記袖の裏側表面の少なくとも一部に防水性のあるフィルムがラミネートされている被散水面への給水方法。
【発明の詳細な説明】
【技術分野】
【０００１】  本発明は、通水手段で水を送水し通水手段に連続する袖へ水を誘導して拡散させる給水方法、より具体的には親水素材の通水手段を透過して水を滲み出させ、通水手段に連続する袖で水を吸引し誘導することにより水を広範囲に分配する被散水面への給水方法に係る。この給水方法は、豪雪地では、冬期に温水の散水用として融雪目的のために利用でき、夏期には散水冷却用もしくは集熱用に利用することができる。
本明細書中では、説明の便宜上、融雪の用途に利用する事例を参考にして本発明を説明する。
【背景技術】
【０００２】  折板屋根は屋根構造が単純で耐圧性に優れているため、規模の大きな建物に多く見られる屋根形式である。こうした大型の折板屋根の融雪には地下水の散水方式が一般的であり、スプリンクラや噴射ノズル等の散布器を使用する事例が多く見られる。しかし、長時間にわたり多量の雪が降り続くと融雪が追いつかず、屋根凹凸面に対する熱媒体の斜め方向への散布では尾根が遮蔽物になって濡れムラができやすく、また粒子が外気中を飛翔するため大気への放熱ロスが大きい。また風雪が強くてスプレイ水が飛ばされてしまうときには散水の効果が失われる。このような状況下では雪溜りが拡大し残雪がつながって屋根表面を広範囲に雪が被り、下側にトンネルが形成され、やがては屋根全面が雪で覆われ積雪が拡大していく。【０００３】  合成樹脂成形品の散水チューブを用いた路面散水による融雪方法は周知である。チューブは側壁に多数のノズルを備え、スプレイ水を周囲に散逸させて広範囲に散水する構造のものである。散水量はノズルの数によってきまるので用途によっては水量の過不足が生じることもあるが、噴射水量と水の到達距離は内圧に比例して増減するためバルブ調整によって対応してきた。【０００４】  しかし、凹凸屋根面に散水する時には、水の噴射経路上の障害物のため噴射水はこれにぶつかって飛翔できず均等に分散できない。風があれば水は飛散してしまう。その結果、チューブ周辺に大量の水が滞ったり水のかからない場所が残され、水を無駄使いして散布面はマダラになる。融雪の用途では、地下水の量は限られているので、散布区域が必要面積をカバーできなければその影響は深刻である。また、ノズルチューブはノズル穿孔径が細かく詰まりやすいので、屋外に長期間放置したまま散水性能を維持することが難しい。スプリンクラーや噴射ノズルを使用した場合も同様である。【０００５】  屋根面への融雪散水の用途において、こうした欠点は広域給水と維持管理面で大きな障害である。具体的には、多数の散水器を使用し大量の散水をしないかぎり予定した散布面すべてに放水が到達しないので、融雪に使用した場合には雪溜りが生じるなどの問題があった。【０００６】  その対策として、周面から水が滲み出す円形断面のホースを選択する方法がある。その一例として、繊維材と樹脂を混練した複合材を押出し整形してなる可撓性ホースが使われているが、内圧を上げた状態で水を滲み出させる構造のため水を広範囲に分配することができない。
また、この種のホースは潰し変形に弱くホース壁に割れやヒビが入り噴出漏水が起こりやすい。破損による漏水量は大きいのでその時には送水を停止することになるが、水経路が連続しているので注水の停止は影響が給水経路全体に及ぶ。屋根上での給水は長期使用が前提であるので漏水の保守は使用者には容認しがたい。
さらに、こうした円形ホースは可撓性があるがために変形しやすく、また転がりやすいので実に扱いにくく、短区間ごとに多点で固定しなければ定位置に直線的に設置することが非常に難しい。
【特許文献１】特許第３５１２８５２号
【特許文献２】特開２００５−３４１８４０号公報
【発明の開示】
【発明が解決しようとする課題】
【０００７】  解決しようとする問題点は、位置決めされた送水手段により、比較的低い内圧のまま少量の水を送水経路に沿って経路周辺の広範囲に均等に給水できない点である。
【課題を解決するための手段】
【０００８】  本発明は、親水素材の途中位置に通水用の筒部分を設け、筒部分の親水性を利用して水を滲み出させる送水経路とし、また筒部分に連続する親水素材部分で筒部分に連続する袖を両側に形成し、これら袖で折板屋根の凸部を両側から挟んで筒部分を位置決めする一方で、筒部分から水を滲み出させ、他方、毛細管現象を利用してこの袖により水を吸引し誘導しながら拡散させて親水素材全面を給水面としたことを主要な特徴としている。
【発明の効果】
【０００９】  親水素材の筒部分からの水の滲出し量は目詰まりが徐々に進行しても面積効果により大きくは変化しない。必要に応じて取り外し、洗濯して汚れを取り、再び設置して使用することができる。親水素材から構成された給水面はほぼ面状であるので下地の被散水面に形がよく馴染み、上部からの転圧に対しても柔軟に変形するので設置場所に制約が少ない。筒部分に水を包み込んで流しながら周囲に粛々と滲出させて給水でき、筒部分の周囲壁からもこの筒部部分に連続する袖の親水素材部分を伝って比較的少量の水をスムーズに広範囲に行き渡らせることができる。
【発明を実施するための最良の形態】
【００１０】  送水経路周辺に少量の水をムラなく均等に散布するという目的を、水を包み込む滲み出し送水路と周囲の吸水拡散領域を連続する親水素材を用いて構成し、これを屋根面の形状の一部を利用して位置決めし、送水系から散水領域の末端まで水を移動させることで実現した。
【実施例】
【００１１】  図１に示す親水素材１（図１）は、例えば、織布や不織布、あるいは編布等の素材から作られている。この親水素材を折り曲げ（図２）るか摘んで重なり部分を形成し、この重なり部分の素材同士をミシン縫いするか溶着して形成された中空の通水用の筒部分３（図３）と、この筒部分に連続する残された袖を形成する親水素材部分４とを備えている。図４は、前述のごとくして製作された通水手段の完成図である。袖の丈は左右が同じでなくともよい。
親水素材部分４は被散水面に被せるように広げて用いられる。親水素材部分の裏側全面に防水性のあるフィルムをラミネートすれば、水の露出する面は親水素材部分の表側に限定される。親水素材部分の裏側表面の一部に防水性のあるフィルムをラミネートすれば、被散水面に水が接触する範囲は限定される。【００１２】  図５は、凸部が平坦な折板屋根に使用した事例を示している。親水素材部分４は折板屋根の凸部頂上に載置され、その一部４ａは頂上にいたる峰を覆っている。この形態では、水は袖の先端から屋根面に受け渡され、水は屋根表面を流下していく。親水素材部分の裏側表面に防水ラミネート加工を施していなければ、水は親水素材部分の裏側からも屋根面に接触することになる。ラミネート表面には予め粘着剤を塗布しておくことができる。
筒部分３に注入する水量が少なければ筒部分は大きく膨らまず、図４に示す程度の広がりのままで筒部分内を流れる水の流れが形成され、水はゆっくりと滲み出していく。送水量を増やせば図５に示すように筒部分３は拡大し、水は滲み出す一方で微細な噴射水が不規則に形成される。夏場の屋根冷却に適した散水の仕方である。
親水素材から滲み出す水は毛細管現象により乾燥側へ吸引されて親水素材部分４に行き渡り、親水素材全面が降雪粒子に対しては給水面として機能する。
なお、袖の丈をどの程度に設定するかは後述するように単なる選択事項である。【００１３】  図６は、図３のものに比べて長い丈の袖を用いる事例を示している。図７は、そうした袖を被せて使用する縦方向はぜ巻き連結式の折板屋根の事例である。折板屋根は凹所の谷部とはぜ巻き連結部の尾根１０および両者の間に位置する傾斜側面１１を備えている。
図８は、図７の折板屋根を親水素材部分４で覆った状態を示す側面図にして、図９はその斜視図である。親水素材部分４は傾斜側面１１から尾根１０に、そしてこの尾根１０から反対側の傾斜側面１１にかけて屋根材を覆い、尾根１０を挟み跨がって筒部分の位置を決めている。
例えば、親水素材を織布から構成した場合、筒部分と袖の両端部すなはち棟側と軒側の端部を相対する方向に引っ張って縦糸にテンションを加えることができる。筒部分と袖は緊張するので筒部分は定位置に保持される。
親水素材にある程度の弾性を持たせることは可能である。【００１４】  筒部分３は、尾根１０の上部に位置している。この筒部分３には、図９に示すようにして水が供給される。筒部分３内を流れる水は親水素材を透過して両側の親水素材部分に流出し、親水素材部分は流出水を含浸し拡散しながらスロープに沿って流下させ、水は折板屋根の谷部に集まり谷部に沿って排水される。【００１５】  親水素材に織布を用いる場合には、例えば、スパン糸の綾織や平織の繊維布構造が用いられる。筒部分には、水の移動方向に沿って透水性に劣る厚い布部分と、これに隣接した通水性に富む薄い布部分を並列に配置しておくことができる。厚い布部分は保水性に富む部分で、薄い布部分が通水に富み厚い布部分に比べて多くの水を流出させる部分である。厚い布部分を製作するには、例えば、綾織組織を用い、薄い布部分には平織組織を利用することができる。糸番手と撚り糸本数を適宜選択すれば織り目の透水性は変えられる。必要に応じて散水布チューブ外面の一部に樹脂のコート層を付着させておくことも可能である。
【図面の簡単な説明】
【００１６】
【図１】  通水手段を構成する親水素材材料の一例を示している。
【図２】  図１の親水素材を折り曲げた状態を示している。
【図３】  親水素材の一部をミシン縫いするか溶着した状態を示している。
【図４】  完成した通水手段の一例を示している。
【図５】  通水手段を折板屋根に設置した状態の一例を示している。
【図６】  通水手段の変更例を示す説明図である。
【図７】  図６の通水手段を設置する折板屋根を示す説明図である。
【図８】  通水手段の設置形態を説明する側面図である。
【図９】  通水手段を設置した折板屋根の外観を示す斜視図である。
【符合の説明】
【００１７】  １  親水素材
２  生地の縁
３  筒部分
４  親水素材部分
【図１】
2008215066.tif 000003
【図２】
2008215066.tif 000004
【図３】
2008215066.tif 000005
【図４】
2008215066.tif 000006
【図５】
2008215066.tif 000007
【図６】
2008215066.tif 000008
【図７】
2008215066.tif 000009
【図８】
2008215066.tif 000010
【図９】
2008215066.tif 000011